(57)【要約】 【課題】  ドアと出入口の口縁との隙間に庫内の冷気が侵入することを防ぐ。【解決手段】  前面パネル２０の開口部２１に庫口枠２６が嵌められて出入口１１が形成される。庫口枠２６の内周面からドアパッキン４０が当接する面にわたる表面に、庫口枠パッキン５０が嵌着される。庫口枠パッキン５０の取付部５１の角部に寄った位置には第１のひれ６１が、また庫内側の端部位置からは第２のひれ６２が突設される。ドア１２が閉じると、ドアパッキン４０と、対向する庫口枠パッキン５０の当接部５２とが互いに弾縮し合って密着する。併せて、第１のひれ６１の突出端側がドア本体３５の庫内側の面３５Ａの周縁部に当たって密着し、ドア本体３５の外周面と出入口１１の内周面との間のクリアランスＳの入口が閉鎖される。第２のひれ６２は、出入口１１の庫内側の口縁とほぼ同じ面上において、出入口１１の軸線と直交した姿勢で突出する。【選択図】  図３
2005249343.tif 000002
【特許請求の範囲】
【請求項１】
貯蔵庫本体の側面に開口された出入口には、ドアが揺動開閉可能に装着され、このドアの庫内側の面の周縁に装着されたパッキンが前記出入口の庫外側の口縁に当接してシールするものにおいて、
前記出入口の周面には弾性を有するひれが突出して設けられ、このひれは、前記ドアの閉鎖時において、このドアと前記出入口の庫外側の口縁付近との間にできるクリアランスの入口部分を塞ぐべく前記ドアの庫内側の面に当接可能となっていることを特徴とする冷却貯蔵庫のドア装置。
【請求項２】
前記ドアが、前記出入口内に嵌合するドア本体と、その庫外側の面の周縁に設けられたフランジ部とから形成され、このフランジ部の庫内側の面に前記パッキンが装着されており、前記ひれが、前記出入口の周面からこの出入口の中心線に対して交差した姿勢で突出して設けられ、前記ドア本体における庫内側の面の周縁に当接されていることを特徴とする請求項１記載の冷却貯蔵庫のドア装置。
【請求項３】
前記出入口の周面における庫内側の端部寄りの位置には、別のひれが前記出入口の中心線に対して交差した姿勢で突出して設けられていることを特徴とする請求項１または請求項２記載の冷却貯蔵庫のドア装置。
【請求項４】
前記出入口の前記パッキンが当接する面には弾性部材が装着され、この弾性部材に前記ひれが一体的に形成されていることを特徴とする請求項１または請求項２記載の冷却貯蔵庫のドア装置。
【請求項５】
前記出入口の前記パッキンが当接する面には弾性部材が装着され、この弾性部材に前記ひれと前記別のひれとの少なくともいずれか一方が一体的に形成されていることを特徴とする請求項３記載の冷却貯蔵庫のドア装置。
【請求項６】
前記パッキンと前記弾性部材とは異なった材質になることを特徴とする請求項４または請求項５記載の冷却貯蔵庫のドア装置。
【発明の詳細な説明】
【技術分野】
【０００１】
本発明は、冷却貯蔵庫のドア装置に関する。
【背景技術】
【０００２】
従来、プレハブ式冷蔵庫におけるドア装置の一例として、特許文献１に記載されたものが知られている。これを概略的に示すと、図６に示すように、断熱性の冷蔵庫本体の側壁１に出入口２が開口されて、この出入口２の側縁に、出入口２内に嵌合可能なドア本体４と、その庫外側の面の周縁に設けられたフランジ部５とからなる断熱性のドア３が揺動可能に装着されるとともに、フランジ部５の庫内側の面にパッキン６が装着されており、ドア３の閉鎖時には、ドア本体４が出入口２内に嵌合しつつパッキン６が出入口２の庫外側の口縁に当接されることでシールされるようになっている。  
このように、ドア本体４を出入口２内に一部嵌合する構造とするのは、この種のプレハブ式冷蔵庫では、断熱性を確保するためにドア３が厚肉となるため、閉扉した場合の出入口２の手前側への出っ張り量を少なくし、また、冷蔵庫本体の側壁１も同様に厚肉であって出入口２の奥行寸法も大きくなるために、ドア本体４を嵌合することで庫内からの凹み量を抑え、庫内に循環される冷気が凹み空間に回り込んで乱流を生じるのを極力抑えること等を意図している。
【特許文献１】特許第３３９８３２６号公報
【発明の開示】
【発明が解決しようとする課題】
【０００３】
しかるに上記のように、ドア本体４を出入口２内に嵌合しつつ揺動開閉するためには、出入口２の内周面とドア本体４の外周面との間にクリアランスＳを設けざるを得ない。そうすると、庫内の冷気がクリアランスＳにも侵入してその奥に装着されたパッキン６を冷却し、湿度が高い等の外気の条件によってはパッキン６の外面等に結露し、雫が垂れる等の問題があった。  
本発明は上記のような事情に基づいて完成されたものであって、その目的は、パッキンへの結露を防止するところにある。
【課題を解決するための手段】
【０００４】
上記の目的を達成するための手段として、請求項１の発明に係る冷却貯蔵庫のドア装置は、貯蔵庫本体の側面に開口された出入口には、ドアが揺動開閉可能に装着され、このドアの庫内側の面の周縁に装着されたパッキンが前記出入口の庫外側の口縁に当接してシールするものにおいて、前記出入口の周面には弾性を有するひれが突出して設けられ、このひれは、前記ドアの閉鎖時において、このドアと前記出入口の庫外側の口縁付近との間にできるクリアランスの入口部分を塞ぐべく前記ドアの庫内側の面に当接可能となっている構成としたところに特徴を有する。
【０００５】
請求項２の発明は、請求項１に記載のものにおいて、前記ドアが、前記出入口内に嵌合するドア本体と、その庫外側の面の周縁に設けられたフランジ部とから形成され、このフランジ部の庫内側の面に前記パッキンが装着されており、前記ひれが、前記出入口の周面からこの出入口の中心線に対して交差した姿勢で突出して設けられ、前記ドア本体における庫内側の面の周縁に当接されているところに特徴を有する。  
請求項３の発明は、請求項１または請求項２に記載のものにおいて、前記出入口の周面における庫内側の端部寄りの位置には、別のひれが前記出入口の中心線に対して交差した姿勢で突出して設けられているところに特徴を有する。
【０００６】
請求項４の発明は、請求項１または請求項２に記載のものにおいて、前記出入口の前記パッキンが当接する面には弾性部材が装着され、この弾性部材に前記ひれが一体的に形成されているところに特徴を有する。  
請求項５の発明は、請求項３に記載のものにおいて、前記出入口の前記パッキンが当接する面には弾性部材が装着され、この弾性部材に前記ひれと前記別のひれとの少なくともいずれか一方が一体的に形成されているところに特徴を有する。  
請求項６の発明は、請求項４または請求項５に記載のものにおいて、前記パッキンと前記弾性部材とは異なった材質になるところに特徴を有する。
【発明の効果】
【０００７】
＜請求項１の発明＞
ドアが閉鎖した際、出入口の周面から突設されたひれが、ドアの庫内側の面に弾性的に密着することによって、ドアと出入口の庫外側の口縁付近との間のクリアランスの入口部分が塞がれる。そのため、庫内の冷気が同クリアランスに侵入することが阻止され、パッキンの冷却が抑えられてその外面等に結露することが防止される。また、冷気が庫内に無駄なく供給でき、庫内を効率良く冷却することができる。
【０００８】
＜請求項２の発明＞
出入口の周面から突設されたひれが、ドア本体の庫内側の面の周縁に弾性的に密着することによって、出入口の内周面とドア本体の外周面との間のクリアランスの入口部分が塞がれる。  
＜請求項３の発明＞
庫内を循環する冷気が、出入口の部分では、その内部に回り込む等で乱流を生じることなく、別のひれに沿うようにしてスムーズに流通する。すなわち、別のひれが整流板のように機能して冷気を庫内でスムーズに循環させ、庫内をむらなく冷却することができる。
【０００９】
＜請求項４，５の発明＞
出入口の庫外側の口縁におけるパッキンが当たる面が、剛性が高いと、以下のような問題が生じる。ドアの取付誤差等によって、パッキンと出入口の当接面との間隔にばらつきが出ると、間隔の狭い部分でパッキンの弾縮量が大きくなることでドアの開閉操作が重くなり、またパッキンが部分的に損傷しやすい。間隔のばらつきを、言わばパッキンの弾縮量のみで吸収するのであるから限界があり、シール不良が生じる場合がある。仮にパッキンが冷却されて硬化した場合も、相手の当接面に密着できずにシール不良に繋がる。出入口から収納物を収納する際に、硬い当接面に当てることで収納物を痛めるおそれがある。
【００１０】
その点本発明では、出入口の口縁におけるパッキンの当接面に弾性部材が装着されているから、以下のような作用効果が得られる。  
ドアが閉められると、パッキンと弾性部材とが互いに弾縮し合って当接し、密着性すなわちシール性が高められる。仮にパッキンが冷却されて硬化しても、弾性部材を弾縮させて密着し、シール性が確保できる。パッキンと出入口の当接面との間隔のばらつきを、パッキンと弾性部材の両方の弾縮量で吸収することになるから、広範囲にわたってばらつきが吸収できる。そのため、ドアの取付精度を必要以上に上げることが不要にできて、取付作業の簡略化等を図ることができる。収納物を出入口から収納する際にその口縁に当てた場合にも、弾性部材が言わばプロテクタとして機能し、収納物を痛めることが防止される。
【００１１】
＜請求項６の発明＞
パッキンと弾性部材とを異なった材質としたから、ドアが長時間連続して閉じられ、すなわちパッキンと弾性部材とが長時間連続して当接していた場合でも、固着することが防がれる。
【発明を実施するための最良の形態】
【００１２】
以下、本発明の実施形態を添付図面に基づいて説明する。  
＜実施形態１＞
本発明の実施形態１を図１ないし図４によって説明する。本実施形態では、プレハブ式の冷蔵庫のドア装置を例示している。  
プレハブ式の冷蔵庫は、図１に概略を示すように、断熱性のパネルを組み付けて箱形の冷蔵庫本体１０が形成されるとともに、その冷蔵庫本体１０の前面に出入口１１が形成され（図２参照）、その出入口１１にドア１２がヒンジ１３を介して揺動開閉可能に装着された構造となっている。
【００１３】
ドア装置の構造を詳細に説明する。図２において、符号２０は、冷蔵庫本体１０の前面パネルであって、この前面パネル２０には上記した出入口１１を構成するべく開口部２１が形成されている。前面パネル２０は、ともにステンレス鋼板等の金属板製の内パネル２２と外パネル２３とを備えている。両パネル２２，２３には方形状の開口が形成されており、両パネル２２，２３が間隔を開けて配設されるとともに、両パネル２２，２３の開口縁の間が合成樹脂製の閉鎖板２４によって閉鎖され、両パネル２２，２３の間に発泡ウレタン樹脂等の発泡樹脂からなる断熱材２５が発泡充填されて形成されている。
【００１４】
前面パネル２０の開口部２１には、その内周面から庫外側の口縁の所定幅の領域を覆うようにして、断面Ｌ字形をなす庫口枠２６が嵌着され、これにより出入口１１が形成されている。庫口枠２６は、合成樹脂材により厚肉に形成されて剛性の高いものとなっており、出入口１１における庫外側の口縁を構成する部分には、その外側の端部寄りの内部に、補強部材２７が埋設されている。この補強部材２７は、ドア１２のヒンジ１３を設けることにも利用される。
【００１５】
出入口１１にはドア１２が揺動開閉可能に取り付けられている。ドア１２は断熱性であって、同様に内パネル３０と外パネル３１とを間隔を開けて配設して、両パネル３０，３１の開口縁の間を断面クランク状をなす合成樹脂製の閉鎖板３２で塞ぎ、同じく両パネル３０，３１の間に発泡樹脂からなる断熱材２５を発泡充填して形成されている。全体としては、上記の出入口１１内にクリアランスＳ（図３参照）を持って嵌合可能な厚肉のドア本体３５に対して、その庫外側の面の周縁にフランジ部３６を全周にわたって設けた形状とされている。  
このドア１２のフランジ部３６の右端面が、上下２箇所においてヒンジ１３を介して出入口１１の庫外側の口縁の右側縁に連結され、ドア１２は右側縁を中心に揺動して開閉されるようになっている。ドア１２が閉鎖された状態では、図３に示すように、ドア本体３５の庫内側の面３５Ａが、出入口１１の庫外側の領域に少し入り込む設定となっている。
【００１６】
ドア１２の閉鎖時には、フランジ部３６の庫内側の面３６Ａが、ドアパッキン４０を介して出入口１１の庫外側の口縁に当接されるようになっている。  
ドアパッキン４０は、軟質塩化ビニル等のゴム材（弾性材）で形成され、厚みのある中空の帯状をなしており、内部には、仕切壁４１を介して３個の空気室４２が幅方向に並んで形成され、弾力性の確保と、幅方向における内外の面の間での断熱性の確保とが図られている。一方、フランジ部３６の庫内側の面３６Ａには、幅方向の中央部から少し外側に寄った位置に係止溝３７が形成されている。そして、ドアパッキン４０は、裏面側に突設された係止部４３を係止溝３７に差し込むことによって、フランジ部３６の庫内側の面３６Ａにおける内方の端部を除いた残りの全面に当たるようにして装着される。
【００１７】
上記した出入口１１を構成する庫口枠２６には、その内周面から、庫外側の口縁における角に近い領域、すなわちドアパッキン４０が当接する面４５にわたる表面に、装着凹部４６が形成され、庫口枠パッキン５０（本発明の弾性部材に相当）が装着されている。この庫口枠パッキン５０は、シリコンゴム等のドアパッキン４０とは別のゴム材（弾性材）によって形成され、庫口枠２６のほぼ１／３程度の厚さで断面Ｌ字形に形成されている。
庫口枠パッキン５０は詳細には、庫口枠２６の内周面側に装着される取付部５１と、ドアパッキン４０の当接面４５側に装着される当接部５２とから構成されている。当接部５２と、取付部５１に繋がる角部には、図示３個の中空部５３が形成され、当接部５２の弾力性の確保と、幅方向における内外部間での断熱性が図られている。  
また、当接部５２の表面側には、結露防止用のコードヒータ（図示せず）を挿入する２本の挿入溝５４が形成されている。
【００１８】
取付部５１の裏面には二条のあり溝５５が形成される一方、庫口枠２６の内周面側の装着凹部４６には、両あり溝５５内に嵌まるあり４７が形成されている。また、取付部５１の庫内側の端部には、庫内側に突出した差込片５６が突設されているとともに、装着凹部４６の庫内側の端面には、差込片５６が差し込まれる差込溝４８が形成されている。さらに、当接部５２の庫外側の端部には、外方に突出した差込片５７が突設されているとともに、装着凹部４６の庫外側の端面には、差込片５７が差し込まれる差込溝４９が形成されている。  
そして、取付部５１側ではあり溝５５に相手のあり４７を嵌めるとともに、差込片５６を相手の差込溝４８に差し込み、また当接部５２側では、差込片５７を相手の差込溝４９に差し込むことによって、庫口枠パッキン５０が装着凹部４６内にすっぽりと、かつ着脱可能に嵌着されるようになっている。
【００１９】
この庫口枠パッキン５０の取付部５１の表面（出入口１１の内周面）には、その角部に寄った位置に第１のひれ６１が突設されている。この第１のひれ６１は薄肉で容易に弾性変形可能となっており、上記したドア本体３５の外周面と出入口１１の内周面との間のクリアランスＳの幅の３倍程度の長さを有し、自然状態では、図２に示すように、出入口１１の軸線と直交して突出し、突出端側が少し庫内側に曲がった姿勢で形成されている。そして、ドア１２の閉鎖時には、図３に示すように、第１のひれ６１の突出端側の半分強の長さ部分が、ドア本体３５の庫内側の面３５Ａの周縁部に当接可能となっている。
【００２０】
また、取付部５１の表面における庫内側の端部位置からは、第２のひれ６２が突設されている。この第２のひれ６２は、上記の第１のひれ６１とほぼ同じ厚さと長さを有している。ただし自然状態での姿勢は、根元部が庫内側に向けて斜めに突出したのち、突出端側では出入口１１の軸線と直交している。言い換えると、第２のひれ６２の突出端側の大部分が、出入口１１の庫内側の口縁とほぼ同じ面上において、出入口１１の軸線と直交した姿勢で突出している。
【００２１】
本実施形態は以上のような構造であって、続いてその作用を説明する。  
ドア１２がヒンジ１３を中心として、図２の矢線方向に揺動して閉じられると、図３及び図４に示すように、ドア本体３５の庫内側の面３５Ａが、出入口１１の庫外側の領域に少し入り込んだ状態となる。それに伴い、第１のひれ６１が弾性変形しつつ、その突出端側の半分強の長さ部分がドア本体３５の庫内側の面３５Ａの周縁部に当たって密着する。これにより、ドア本体３５の外周面と出入口１１の内周面との間のクリアランスＳの入口が閉鎖された状態となる。  
それとともに、ドアパッキン４０と、対向する庫口枠パッキン５０の当接部５２とが、互いに弾縮し合って密着状に当接する。また、第２のひれ６２は、その突出端側の大部分が、出入口１１の庫内側の口縁とほぼ同じ面上において、出入口１１の軸線と直交した姿勢で突出した状態に維持される。
【００２２】
稼働時には、庫内において冷気が例えば矢線Ａ方向に循環流通される。ここで、前面パネル２０の内面に沿うように流れた冷気は、出入口１１における庫内側の口縁を過ぎたところで、大部分は出入口１１内に回り込むことなく、第２のひれ６２で案内されつつそのまま真直にスムーズに流れる。ただ一部の冷気は、出入口１１内に回り込み、ドア本体３５の外周面と出入口１１の内周面との間のクリアランスＳにも侵入しようとするが、クリアランスＳの入口は第１のひれ６１で閉鎖されているから、クリアランスＳ内に侵入することが阻止され、引き続いてドア本体３５の庫内側の面３５Ａに沿うようにして流通する。
【００２３】
本実施形態によれば、以下のような数々の利点を得ることができる。  
出入口１１の内周面から突出する第１のひれ６１を設けて、閉扉時にドア本体３５の庫内側の面３５Ａの周縁に弾性的に密着させることにより、出入口１１の内周面とドア本体３５の外周面との間のクリアランスＳの入口を塞ぐようにしたから、庫内を循環する冷気が同クリアランスＳに侵入することが阻止され、その先に位置するドアパッキン４０が冷却することが抑えられて、その外気に露出した面等に結露することが防止される。そのため、結露水が前面パネル２０の表面を伝って流れたり、ドアパッキン４０の凍り付きが生じることも防がれる。また、冷気が庫内に無駄なく供給されることとなって、冷却効率を上げることができる。  
なお、ドア１２を開放した場合も、第１のひれ６１は第２のひれ６２ともども、出入口１１の中心に向けて突出した状態にあるため、庫内の冷気が外部に流出し難くなる。
【００２４】
出入口１１の庫内側の口縁に第２のひれ６２が設けられたことによって、前面パネル２０の内面に沿って流通する庫内の冷気の大部分が、第２のひれ６２で案内されつつ、出入口１１内に回り込む等で乱流を生じることなく、出入口１１の庫内側の面に沿うようにしてスムーズに流通する。すなわち、第２のひれ６２が整流板のように機能して、冷気を庫内でスムーズに循環させることができ、庫内を全域にわたってむらなく冷却することができる。
【００２５】
庫口枠２６に庫口枠パッキン５０を嵌着したことにより、ドア１２が閉められたときには、ドアパッキン４０と、対向する庫口枠パッキン５０の当接部５２とが、互いに弾縮し合って密着して当接する。したがって高いシール性が確保される。仮にドアパッキン４０が冷却されて硬化しても、当接部５２を弾縮させて密着することができ、シール性が確保できる。  
ドアパッキン４０と、出入口１１におけるこのドアパッキン４０の当接面４５との間隔のばらつきを、ドアパッキン４０と庫口枠パッキン５０の当接部５２の両方の弾縮量で吸収することになるから、広範囲にわたってばらつきが吸収できる。そのため、ドア１２の取付精度を必要以上に上げることが不要にできて、取付作業の簡略化等を図ることができる。
【００２６】
収納物を出入口１１から収納する際に、その口縁や内周面に当てた場合にも、庫口枠パッキン５０が言わばプロテクタとして機能し、収納物を痛めることが防止される。  
ドアパッキン４０と庫口枠パッキン５０とは、同じゴムでも異なった材質としたから、ドア１２が長時間連続して閉じられ、すなわちドアパッキン４０と庫口枠パッキン５０の当接部５２とが長時間連続して当接していた場合でも、それらが固着することが防がれる。
【００２７】
＜実施形態２＞
図５は、本発明の実施形態２を示す。この実施形態２では、第１のひれ６５の形状に変更が加えられている。  
すなわち第１のひれ６５の形状が、閉扉時において、その突出端側がドア本体３５の庫内側の面３５Ａの周縁部に当たって密着した際に、庫口枠パッキン５０の取付部５１における庫外側の端部の内周面から、ドア本体３５の庫内側の面３５Ａの周縁部にわたり、クリアランスＳ側に向けて円弧状に凹んだ姿勢を取るようになっている。  
その他の構造については実施形態１と同様であって、同一機能を有する部位については同一符号を付すことで、重複した説明は省略する。  
第１のひれ６５が上記のような形状であると、クリアランスＳの入口を塞いで同クリアランスＳ内に冷気が侵入するのを阻止することに加え、出入口１１内に回り込んだ冷気を、円弧面６６に沿わせつつ滞留させることなくよりスムーズに流通させることができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）庫口枠パッキンは、取付部を除去して当接部のみに留めたものとしてもよい。さらに、庫口枠パッキンそのものを除去しても良く、そのようなものも本発明の技術的範囲に含まれる。  
（２）上記の場合、第１及び第２のひれは、庫口枠パッキンとは別体に、若しくは単体で形成し、各ひれに設けた取付部を利用して出入口の内周面に取り付ければよい。
【００２９】
（３）また、第２のひれを設けなくてもよく、そのようなものも本発明の技術的範囲に含まれる。  
（４）本発明は、出入口を形成するのに庫口枠を用いず、内外のパネルの開口縁を塞ぐ閉鎖板を利用して出入口を形成する形式のものにも、同様に適用することが可能である。
【００３０】
（５）本発明は、ドアの庫内側の面が平面状のものであって、ドアに装着されたパッキンが、出入口の庫外側の口縁のうちでも角から少し離れた位置に当接し、ドアの閉鎖時には、ドアと出入口の庫外側の口縁との間にクリアランスができる構造のものにも適用することができる。この場合は、第１のひれは、例えば出入口の内周面の庫外側の端部寄りの位置から庫外側に向けて突設し、ドアの庫外側の面における出入口の庫外側の口縁の角と対向する部分に当接することによって、クリアランスの入口を塞ぐことができる。  
（６）また本発明は、冷凍庫を含むプレハブ式の冷却貯蔵庫、さらには冷却貯蔵庫全般に適用することが可能である。
【図面の簡単な説明】
【００３１】
【図１】本発明の実施形態１に係るプレハブ式冷蔵庫の外観斜視図
【図２】ドアの開放時における出入口付近の構造を示す断面図
【図３】ドアの閉鎖時における出入口付近の構造を示す断面図
【図４】図３の部分拡大図
【図５】実施形態２に係る第１のひれの機能を示す部分拡大断面図
【図６】従来例の断面図
【符号の説明】
【００３２】
１０…冷蔵庫本体（貯蔵庫本体）  １１…出入口  １２…ドア  １３…ヒンジ  ２０…前面パネル  ２１…開口部  ２６…庫口枠  ３５…ドア本体  ３５Ａ…（ドア本体３５の）庫内側の面  ３６…フランジ部  ４０…ドアパッキン（パッキン）  ５０…庫口枠パッキン（弾性部材）  ５１…取付部  ５２…当接部  ６１，６５…第１のひれ  ６２…第２のひれ  Ｓ…クリアランス
【図１】
2005249343.tif 000003
【図２】
2005249343.tif 000004
【図３】
2005249343.tif 000005
【図４】
2005249343.tif 000006
【図５】
2005249343.tif 000007
【図６】
2005249343.tif 000008